(57)【要約】【課題】  安価に製造される広告やチラシにポップアップの仕組みを設けることができ、若干の工程の変更でポップアップ部の形状を容易に変更することが可能なポップアップ紙製品の製造方法を提供する。【課題を解決するための手段】  一枚の紙１を二つ折りにする二つ折り工程（Ｓ１）と、二つ折り工程によって最上面に位置することとなった上半面２の自由端２１上の所定箇所Ｐと谷折りした折り線３１の中央部３１ａを通り折り線３１と直交する方向に形成される中央ライン３３上の所定箇所と中央ライン３３と自由端２１との交点３１ｂとを結んで形成される三角形２３の所定部分に糊付けをする糊付け工程（Ｓ２）と、中央ライン３３で谷折りする四つ折り工程（Ｓ３）とを備えて構成されたことを特徴とする。【選択図】  図１
2015044294.tif 000002
【特許請求の範囲】
【請求項１】
折りたたまれた紙を開くことによりポップアップする仕組みを備えたポップアップ紙製品の製造方法において、
一枚の紙を二つ折りにする二つ折り工程と、
前記二つ折り工程によって最上面に位置することとなった上半面の自由端上の所定箇所と、前記二つ折り工程で折り込んだ折り線の中央部を通り当該折り線と直交する方向に形成される中央ライン上の所定箇所と、前記中央ラインと前記自由端との交点とを結んで形成される三角形の所定部分に糊付けをする糊付け工程と、
前記二つ折り工程で谷折りした前記折り線の中央部を通り当該折り線と直交する方向に形成される前記中央ラインで谷折りする四つ折り工程と、
を備えて構成されたことを特徴とするポップアップ紙製品の製造方法。
【請求項２】
請求項１に記載のポップアップ紙製品の製造方法において、
前記二つ折り工程によって上側に重ね合わされた上半面を前記二つ折り工程で形成された折り線と平行な折り線でさらに折り返すことにより前記上半面を二つ折りする折り返し工程を含み、
前記糊付け工程は、
前記折り返し工程によって最上面に位置することとなった前記上半面の自由端上の所定箇所と、前記折り返し工程で折り返した前記折り線の中央部と、前記折り返し工程で折り返した前記折り線の前記中央部と前記自由端との交点とを結んで形成される三角形の所定部分に糊付けをする、
ことを特徴とするポップアップ紙製品の製造方法。
【請求項３】
請求項２に記載のポップアップ紙製品の製造方法において、
初めに前記折り返し工程を行い、その後に前記二つ折り工程を行うことを特徴とするポップアップ紙製品の製造方法。
【請求項４】
請求項１から３のいずれか１項に記載のポップアップ紙製品の製造方法において、
折りたたまれた紙を開くことによりポップアップするポップアップ部がポップアップしたときに所定の形状及び／又は絵柄が現れるように前記紙には予め型抜き及び／又は絵柄が描かれていることを特徴とするポップアップ紙製品の製造方法。
【請求項５】
請求項１から４のいずれか１項に記載のポップアップ紙製品の製造方法において、
折りたたまれた紙を開くことによりポップアップするポップアップ部が容易にポップアップするように予め所定箇所に折り目にスジ又は切れ目を入れたことを特徴とするポップアップ紙製品の製造方法。
【発明の詳細な説明】
【技術分野】
【０００１】
本発明は、ポップアップ紙製品の製造方法に関し、さらに詳しくは、一枚の紙を順次折り畳んでいくことによりポップアップの仕組みを形成するポップアップ紙製品の製造方法に関する。
【背景技術】
【０００２】
従来、２つに折られたカードを開くと中から立体的にポップアップするカードが知られている。通常のカードは２次元の平面状の紙に文字や絵柄等が印刷されているのに対し、ポップアップカードはカードを開いた際の予期しない動きやポップアップによって形成される立体形状が人目を引き、クリスマスカードなどのグレーティングカードに利用されている。
【０００３】
このようなポップアップカードとしては、例えば、特許文献１に示すものがある。特許文献１の立体カードは、予めカード本体に立体物となる、建物や動物などの形状に即して切り込みや折り線を付しておき、これを台紙に固定するというものである。また、特許文献２に示すポップアップカードは、装飾板と、底面板と、部斜面板と、側部斜面板と、底面板とからなり、折線および沿って折り曲げることによって装飾板を飛出孔より飛び出させることにより起立させるものであり、１枚のブランク板を３箇所で折り曲げ、１箇所で貼り着け加工するだけで製作できるので従来できなかった機械での製作が容易に可能となるというものである。
【０００４】
さらに、全面プリントもでき、ハガキとしての利用も可能である斬新なポップアップ式カード（特許文献３）や、低コストで、側面に壁を用いずに簡単に自立し姿勢を維持することができるポップアップカード（特許文献４）などがある。
【０００５】
【特許文献１】実用新案登録第３０５５０１０号公報
【特許文献２】特許第３６４８３４２号公報
【特許文献３】特開２００４−１４２３６３号公報
【特許文献４】特許第５０３５６４９号公報
【発明の開示】
【発明が解決しようとする課題】
【０００６】
しかし、上述の各特許文献に開示されたポップアップ式カードは、主にグレーティングカード、ダイレクトメール用ハガキや各種の招待状等として利用されており、コスト的に大量に配布される広告やチラシとして用いられるものではなかった。ポップアップ式カードは手作業での加工が多く加工賃が高いことや、機械で製造することが困難であり、台紙は比較的厚いものが使用されていることから製造コストも高くなっていた。また、手作業による場合には均一に製造することが難しく形状が安定せず、汚れが付着しやすいという問題があった。
【０００７】
一方で、大量に配布される広告やチラシにポップアップの仕組みを設けることは上述したようにコストの面から見ても容易ではないことから、安価に製造される広告やチラシにポップアップの仕組みを設けることは極めて困難であり、実現は困難であるのが現状であった。
【０００８】
そこで、本願発明者は鋭意検討を行った結果、一枚の紙を機械で紙を順次折りたたんでいくことによりポップアップの仕組みを容易に形成することができるポップアップ紙製品の製造方法を見出すに至った。すなわち、本発明は、安価に製造される広告やチラシに汚れにくくて精度が高くしかも形状の安定したポップアップの仕組みを設けることができるポップアップ紙製品の製造方法を提供することを目的とする。
【０００９】
また、本発明は、若干の工程の変更でポップアップ部の形状を容易に変更することが可能なポップアップ紙製品の製造方法を提供することを目的とする。
【課題を解決するための手段】
【００１０】
上記課題を解決するために請求項１に記載の本発明は、折りたたまれた紙を開くことによりポップアップする仕組みを備えたポップアップ紙製品の製造方法において、一枚の紙を二つ折りにする二つ折り工程と、二つ折り工程によって最上面に位置することとなった上半面の自由端上の所定箇所と、二つ折り工程で折り込んだ折り線の中央部を通り当該折り線と直交する方向に形成される中央ライン上の所定箇所と、中央ラインと自由端との交点とを結んで形成される三角形の所定部分に糊付けをする糊付け工程と、二つ折り工程で谷折りした折り線の中央部を通り当該折り線と直交する方向に形成される中央ラインで谷折りする四つ折り工程とを備えて構成されたことを特徴とする。
【００１１】
上記課題を解決するために請求項２に記載の本発明は、請求項１に記載のポップアップ紙製品の製造方法において、二つ折り工程によって上側に重ね合わされた上半面を二つ折り工程で形成された折り線と平行な折り線でさらに折り返すことにより上半面を二つ折りする折り返し工程を含み、糊付け工程は、折り返し工程によって最上面に位置することとなった上半面の自由端上の所定箇所と、折り返し工程で折り返した折り線の中央部と、折り返し工程で折り返した折り線の中央部と自由端との交点とを結んで形成される三角形の所定部分に糊付けをすることを特徴とする。
【００１２】
上記課題を解決するために請求項３に記載の本発明は、請求項２に記載のポップアップ紙製品の製造方法において、初めに折り返し工程を行い、その後に二つ折り工程を行うことを特徴とする。
【００１３】
上記課題を解決するために請求項４に記載の本発明は、請求項１から３のいずれか１項に記載のポップアップ紙製品の製造方法において、折りたたまれた紙を開くことによりポップアップするポップアップ部がポップアップしたときに所定の形状及び／又は絵柄が現れるように紙には予め型抜き及び／又は絵柄が描かれていることを特徴とする。
【００１４】
上記課題を解決するために請求項５に記載の本発明は、請求項１から４のいずれか１項に記載のポップアップ紙製品の製造方法において、折りたたまれた紙を開くことによりポップアップするポップアップ部が容易にポップアップするように予め所定箇所に折り目にスジ又は切れ目を入れたことを特徴とする。
【発明の効果】
【００１５】
本発明に係るポップアップ紙製品の製造方法によれば、本発明は、単純な折り工程と糊付け工程を組み合わせることで、ポップアップ部がポップアップする仕組みを簡単に形成することができるので汚れにくくて精度が高くしかも形状の安定したポップアップの仕組みを設けた広告やチラシを安価に製造することができるという効果がある。
【００１６】
また、本発明に係るポップアップ紙製品の製造方法によれば、ポップアップ部の形状を種々のものとすることができると共に、若干の工程の変更によってポップアップ部の形状を容易に変更することができるという効果がある。
【図面の簡単な説明】
【００１７】
【図１】本発明に係るポップアップ紙製品の製造方法の第一の実施形態の工程を示すフローチャートである。
【図２】（ａ）〜（ｄ）は第一の実施形態における各工程によって形成される形状を示す説明図である。
【図３】本発明に係るポップアップ紙製品の製造方法の第二の実施形態の工程を示すフローチャートである。
【図４】（ａ）〜（ｆ）は第二の実施形態における各工程によって形成される形状を示す説明図である。
【図５】（ａ）〜（ｆ）はポップアップ部をハート型とした第二の実施形態における各工程によって形成される形状を示す説明図である。
【図６】（ａ）〜（ｆ）はポップアップ部を富士山型とした第二の実施形態における各工程によって形成される形状を示す説明図である。
【図７】（ａ）〜（ｆ）は第二の実施形態の紙製品を製造する紙折り機の動きを示す模式図である。
【図８】（ａ）〜（ｃ）は図５に続く第二の実施形態の紙製品を製造する紙折り機の動きを示す模式図である。
【図９】第二の実施形態の紙製品を製造する紙折り機の動きを示すフローチャートである。
【発明を実施するための形態】
【００１８】
［第一の実施形態］
以下、本発明に係るポップアップ紙製品の製造方法について図面を参照しつつ詳細に説明する。図１は本発明に係るポップアップ紙製品の製造方法の第一の実施形態の工程を示すフローチャート、図２は第一の実施形態における各工程によって形成される形状を示す説明図である。図示されたポップアップ紙製品は、ポップアップ部が山の形状、例えば富士山を模した形状としたものである。
【００１９】
初めに、略長方形に形成された一枚の紙１を用意する。紙１は、略長方形のまま使用することもできるが、ここではポップアップ部５を富士山の形状とするために、山頂から山裾に相当する部分を切り落とし部６として切り取ることによってポップアップ形成部１０が型抜きされている。そして、山頂となる部分には印刷により雪が描かれ、また山裾の部分には所定の彩色が施されている。そして、図２（ａ）に示すように、一枚の紙１の長手方向の略中央を谷折りすることによって紙１を二つ折りにする（ステップＳ１）。
【００２０】
次いで、ステップＳ１の二つ折り工程によって最上面に位置することとなった上半面２の自由端２１上の所定箇所（図２（ｂ）における点Ｐ）と、ステップＳ１の二つ折り工程で谷折りした折り線３１の中央部３１ａを通り折り線３１と直交する方向に形成される中央ライン３３上の所定箇所（図２（ｂ）における点Ｑ）と、中央ライン３３と自由端２１との交点３１ｂとを結んで形成される三角形の所定部分に糊付けをする糊付けをする（ステップＳ２）。本実施形態の場合では、上半面２の自由端２１上の所定箇所とは図２（ｂ）における点Ｐ（上半面２に描かれた富士山の頂上部分の横に位置する箇所）であり、ステップＳ１の二つ折り工程で谷折りした折り線３１の中央部３１ａを通り折り線３１と直交する方向に形成される中央ライン３３上の所定箇所とは図２（ｂ）における点Ｑである。尚、本実施形態の場合はライン３５で分けられる左右の面の形状は対称であるから、図２（ｂ）に示すように、点Ｐは左右の２箇所に設定することができるがどちら側であっても構わない。そして、糊付けをすべき所定箇所（糊付け部２５）とは、少なくとも点Ｐから交点３１ｂに至る自由端２１部分を含むことが好ましいが、点Ｐ、点Ｑ及び交点３１ｂによって形成される三角形２３の全面であってもかまわない。
【００２１】
次いで、図２（ｃ）に示すように、中央ライン３３に沿って谷折りすることにより紙１を四つ折り状態にする（ステップＳ３）。これにより、糊付け部２５に当接する部分が糊付けされてポップアップ部５が形成される。そして、四つ折りされた紙１を中央ライン３３に沿って開くと、図２（ｄ）に示すように、ポップアップ部５が立ち上がって富士山が起立した状態になる（ステップＳ４）。尚、富士山の底辺となるライン７，７には予め折り目やスジ又は切れ目などを入れておくことで四つ折りした紙１を開いたときにスムーズにポップアップ部５を立ち上がらせることができる。
【００２２】
上述の第一の実施形態ではポップアップ部５の形状を富士山の形状としたが、それ以外でも、例えば、ハート型、蝶、花、建物など、適宜の形状とすることができる。
【００２３】
［第二の実施形態］
次に、第二の実施形態について説明する。第二の実施形態ではポップアップ部５が略菱形形状に開いて立ち上がる形状のものである。初めに、略長方形に形成された一枚の紙１を用意する。そして、図４（ａ）に示すように、第一の実施形態の場合と同様にして紙１の長手方向の略中央を折り線４１で谷折りすることによって紙１を二つ折りにする（ステップＳ１１）。
【００２４】
次いで、ステップＳ１１の二つ折り工程によって上側に重ね合わされた上半面２をステップＳ１１の二つ折り工程で形成された折り線４１と平行な折り線４２でさらに山折りすることにより上半面２を、図４（ｂ）に示すように、二つ折りして折り返す（ステップＳ１２）。そして、図４（ｃ）に示すように、ステップＳ１２の折り返し工程によって最上面に位置することとなった上半面２の自由端２１上の所定箇所である点Ｐと、ステップＳ１２の折り返し工程で山折りした折り線４２の中央部４２ａと、ステップＳ１２の折り返し工程で山折りした折り線４２の中央部４２ａから折り線４２と直交する方向に伸びるライン４３が自由端２１と交わる交点４２ｂとによって形成される三角形２３の所定部分に糊付けして糊付け部２５を形成する（ステップＳ１３）。ここで、本実施形態では、上半面２の自由端２１上の所定箇所として上半面２の自由端２１の角部をそれぞれ点Ｐとしているが、これに限るものではない。また、糊付けは、次工程（四つ折り工程）で後述する中央ライン４４で四つ折りされるのでいずれか両側の角部ではなく、いずれか一方側の角部の点Ｐと、中央部４２ａと、交点４２ｂとを結んで形成される一方側の三角形２３のみに糊付け部２５を形成してもよい。
【００２５】
また、ステップＳ１１の二つ折り工程とステップＳ１２の折り返し工程の手順を入れ替えて、初めにステップＳ１２の折り返し工程を行い、その後にステップＳ１１二つ折り工程を行うようにすることももちろん可能である。
【００２６】
次いで、図４（ｄ），（ｅ）に示すように、ステップＳ１１の二つ折り工程で谷折りした折り線４１の中央部４１ａを通り、折り線４１と直交する方向に形成される中央ライン４４でさらに谷折りすることにより紙１を四つ折りにする（ステップＳ１４）。これにより、糊付け部２５が糊付けされてポップアップ部５が形成される。そして、四つ折りされた紙１を中央ライン４４に沿って開くと、図４（ｆ）に示すように、略菱形形状ポップアップ部５が開いて起立した状態になる（ステップＳ１５）。尚、第一の実施形態同様にポップアップ部５を形成する点Ｐと中央部４２ａとをライン７，７に予め折り目にスジ又は切れ目を入れておくことで四つ折りした紙１を開いたときにスムーズにポップアップ部５を立ち上がらせることができる。
【００２７】
上述の第二の実施形態においてもポップアップ部５の形状を、例えば、ハート型や富士山やその他の適宜の形状とすることができる。図５（ａ）〜（ｆ）はポップアップ部５をハート型とした場合の各工程の形状を示す説明図、図６（ａ）〜（ｆ）はポップアップ部を富士山型とした場合の各工程の形状を示す説明図である。尚、各工程は上述したステップＳ１１〜ステップＳ１５と同じであるので詳しい説明は省略する。特に図６に示す富士山型では折り線４１が側縁部と交わる交点４６ａと中央部４２ａと結ぶラインを折り線４６としているので山裾を長く形成されている。
【００２８】
ここで、上記した二つ折り工程（ステップＳ１，Ｓ１１）、折り返し工程（ステップＳ１２）及び四つ折り工程（ステップＳ３，Ｓ１４）について、第二の実施形態を紙折り機によって行う場合の機械折りを例にして説明する。図７，８は紙折り機の動きを示す模式図である。尚、以下では初めにステップＳ１２の折り返し工程を行い、その後にステップＳ１１二つ折り工程を行う場合について説明する。図７（ａ）に示すように、図示された紙折り機５０は、６つローラ５１ａ〜５１ｆと、バッフルプレート５３ａ，５３ｄと、内部に紙１が挿入される隙間を有すると共にその途中に当接部５３ｂ，５３ｃが設けられた案内部材５５ａ，５５ｂを備えて構成されている。具体的には、ローラ５１ａとローラ５１ｂとが対向して配置され、ローラ５１ａ，５１ｂによって案内ステージ５７ａ上を移送されてきた紙１は前方へ送り出される（ステップＳ２１）。
【００２９】
ローラ５１ａ，５１ｂとの出口方向前方にはバッフルプレート５３ａが配置されており、紙１の進行方向が変更されてローラ５１ｂ，５１ｃの間に案内されるようになっている。そして、バッフルプレート５３ａにより進行方向を変更された紙１は、図７（ｂ）に示すように、ローラ５１ｂ，５１ｃによって案内部材５５ａの隙間に進入する（ステップＳ２２）。案内部材５５ａの隙間の途中には当接部５３ｂが設けられており、紙１はこの当接部５３ｂに当接してそれ以上の進入が阻止される。一方で、紙１はローラ５１ａ，５１ｂによってさらに押し込まれるため、図７（ｃ）に示すように、案内部材５５ａの入り口付近で歪みが生じ（ステップＳ２３）、図７（ｄ）に示すように、歪み部分が対向して配置されたローラ５１ｃとローラ５１ｄによって引き込まれて二つに折り返される（ステップＳ２４）。このときの折り線が折り線４２である。
【００３０】
さらに、折り線４２によって折り返された紙１は、図７（ｅ）に示すように、ローラ５１ｃ,５１ｄによって案内部材５５ｂの隙間に侵入し、案内部材５５ｂの当接部５３ｃに当接してそれ以上の侵入が阻止される（ステップＳ２５）。すると、図７（ｆ）に示すように、案内部材５５ｂの入り口付近で紙１に歪みが生じ（ステップＳ２６）、図８（ａ）に示すように、歪み部分が対向して配置されたローラ５１ｅとローラ５１ｆによって引き込まれ、図８（ｂ）に示すように、上半面２がさらに二つに折り込まれる（ステップＳ２７）。このときの折り線が折り線４１である。そして、図８（ｃ）に示すように、紙１はローラ５１ｃ,５１ｄによって案内ステージ５７ｂ上に排出される（ステップＳ２８）。以下、三角形２３の所定部分に図示しないボンディング装置によって糊付けを行い、紙１の進行方向を９０°回転させ、前述したような構成の紙折り機によって中央ライン４４でさらに四つ折りにすれば第二の実施形態のポップアップ紙製品が完成する。
【００３１】
以上のように、本発明の好ましい実施形態について詳述したが、本発明は詳述した特定の実施形態に限定されるものではなく、特許請求の範囲に記載された本発明の要旨の範囲内において、種々の変形・変更が可能であることはいうまでもない。
【符号の説明】
【００３２】
１      紙
２      上半面
５      ポップアップ部
６      切り落とし部
７      ライン
１０      ポップアップ形成部
２１      自由端
２３      三角形
２５      糊付け部
３１      折り線３１
３１ａ      中央部
３３      中央ライン
３５      ライン
４１      折り線４１
４１ａ      中央部
４２      折り線４２
４２ａ      中央部
４４      中央ライン
４６      折り線
４６ａ      交点
５０      紙折り機５０
５１ａ〜５１ｆ      ローラ
５３ａ，５３ｄ      バッフルプレートと、
５３ｂ，５３ｃ      当接部
５５ａ，５５ｂ      案内部材
５７ａ，５７ｂ      案内ステージ
【図１】
2015044294.tif 000003
【図２】
2015044294.tif 000004
【図３】
2015044294.tif 000005
【図４】
2015044294.tif 000006
【図５】
2015044294.tif 000007
【図６】
2015044294.tif 000008
【図７】
2015044294.tif 000009
【図８】
2015044294.tif 000010
【図９】
2015044294.tif 000011